【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
ケースにノズルチューブが回転自在に組み込まれるとともに、
このノズルチューブは直線状の軸部とこの軸部の軸線に対して傾斜角が保たれた旋回部とからなり、
上記ケースには、ノズルチューブの軸部を回転自在に支持する軸受が設けられた除水または除塵用旋回ノズルであって、
軸部の軸線方向に二段重ねにされた一対の軸受を設けた除水または除塵用旋回ノズル。
【請求項２】
上記軸受がボールベアリングである請求項１に記載された除水または除塵用旋回ノズル。
【請求項３】
上記ケースは、一方に底部が設けられ、他方に開口部が設けられ、この開口部をふさぐ覆い部材が設けられるとともに、
上記覆い部材は、上記開口部をふさぐ蓋部と、この蓋部から連続するとともに、ケースの外周側に伸びる裾部が設けられ、この裾部でケース外周の全部または一部が覆われる構成にした請求項1又は２に記載された除水又は除塵用旋回ノズル。
【請求項４】
上記ノズルチューブの上記軸部には、ノズルチューブ内に導かれた圧縮エアを、上記覆い部材内に噴出するための少なくとも1つの小孔が形成された請求項３に記載された除水または除塵用旋回ノズル。
【手続補正２】
【補正対象書類名】明細書
【補正対象項目名】発明の名称
【補正方法】変更
【補正の内容】
【発明の名称】除水又は除塵用旋回ノズル
【手続補正３】
【補正対象書類名】明細書
【補正対象項目名】０００１
【補正方法】変更
【補正の内容】
【０００１】
この発明は、ノズルチューブから噴出される圧縮エアで、除水または除塵対象物に付着した水やゴミを吹き飛ばす除水又は除塵用旋回ノズルに関する。
【手続補正４】
【補正対象書類名】明細書
【補正対象項目名】０００６
【補正方法】変更
【補正の内容】
【０００６】
上記エア噴出ユニット３には、圧縮エアが供給されるとともに、この圧縮エアを噴出する旋回ノズルＮが複数設けられている。
そして、上記エア噴出ユニット３で搬送用コンベア２を覆った状態で、例えば、食品用パウチ等の除水対象物を、搬送用コンベア２に載せて搬送すれば、除水対象物がエア噴出ユニット３をくぐり抜ける過程で、旋回ノズルＮから噴出される圧縮エアが吹きつけられ、当該容器に付着した水滴が吹き飛ばされて除水される。
【手続補正５】
【補正対象書類名】明細書
【補正対象項目名】０００７
【補正方法】変更
【補正の内容】
【０００７】
上記のようにした除水機Ｒに用いられている旋回ノズルＮは、図３に示すとおりである。
この旋回ノズルＮは、そのケース４と、ノズルチューブ５と、軸受６と、覆い板７とからなる。
【手続補正６】
【補正対象書類名】明細書
【補正対象項目名】００１４
【補正方法】変更
【補正の内容】
【００１４】
上記のようにした旋回ノズルＮは、ノズルチューブ５の軸部５ａが一つの軸受６で支持されている。ところがノズルチューブ５の旋回部５ｂは、軸受６で支持されている軸部５ａに対して偏心回転しているので、上記軸受６には常に偏荷重が作用する。この偏荷重のために軸受６も偏摩耗し、それが軸部５ａを歳差運動させてしまう。
【手続補正７】
【補正対象書類名】明細書
【補正対象項目名】００１７
【補正方法】変更
【補正の内容】
【００１７】
さらに、ノズルチューブ５の軸部５ａが歳差運動をしだすと、軸部５ａと軸受６とが偏磨耗してそれらの間に隙間ができてしまう。このような偏磨耗が進むと、ノズルチューブ５が回転しなくなる。
そして、除水機の場合には水道水を使うことが多いが、水道水を長く使っていると、カルキが析出して、それが上記隙間に入り込んでしまう。このように隙間にカルキが入ってしまうと、ノズルチューブ５のスムーズな回転ができなくなり、当該旋回ノズルＮの寿命を短くしてしまう。
【手続補正８】
【補正対象書類名】明細書
【補正対象項目名】００１８
【補正方法】変更
【補正の内容】
【００１８】
もし、旋回ノズルＮが回転しなくなったり、その回転がスムーズにいかなくなったりすると、当該除水機から旋回ノズルＮを取り外して交換しなければならない。しかし、除水機は、主たるラインの途中に組み込まれることがほとんどなので、旋回ノズルＮの交換のために、主たるラインのすべてを止めなければならなくなり、主たるラインにおける製造効率を著しく損なうことになる。
【手続補正９】
【補正対象書類名】明細書
【補正対象項目名】００１９
【補正方法】変更
【補正の内容】
【００１９】
この発明の目的は、寿命を長く保てるとともに、除水もしくは除塵対象物に水滴やゴミが残ることがなく、それら対象物の商品価値を落としたりしない除水または除塵用旋回ノズルを提供することである。
【手続補正１０】
【補正対象書類名】明細書
【補正対象項目名】００２０
【補正方法】変更
【補正の内容】
【００２０】
第１の発明は、除水又は除塵用旋回ノズルであって、そのノズルチューブの軸部がその軸線方向に二段重ねにされた一対の軸受で支持されてなる点に特徴を有する。
このように一対の軸受でノズルチューブの軸部が回転自在に支持されているので、軸部に歳差運動の力が作用したとしても、それを押えることができる。軸部に作用する歳差運動の作用力を押えられるので、ノズルチューブの旋回部の旋回を安定させることができる。
【手続補正１１】
【補正対象書類名】明細書
【補正対象項目名】００２１
【補正方法】変更
【補正の内容】
【００２１】
このように旋回部の旋回を安定させることができるので、ノズルチューブから噴出される圧縮エアの噴出方向も安定させることができ、除水もしくは除塵対象物に水滴やゴミ等が残ったりしなくなる。しかも、当該旋回ノズルの寿命も延ばすことができる。
【手続補正１２】
【補正対象書類名】明細書
【補正対象項目名】００２５
【補正方法】変更
【補正の内容】
【００２５】
この発明の除水又は除塵用旋回ノズルによれば、ノズルチューブの軸部が歳差運動をすることがないので、常に安定した旋回を維持できる。したがって、寿命を長く保てるとともに、除水もしくは除塵対象物に水滴やゴミが残ることがなく、商品価値を落としたりしない。
【手続補正１３】
【補正対象書類名】明細書
【補正対象項目名】００２６
【補正方法】変更
【補正の内容】
【００２６】
【図１】この発明の断面図である。
【図２】従来の除水機の斜視図である。
【図３】従来の除水機に用いられた旋回ノズルの一部を断面にした図である。
【手続補正１４】
【補正対象書類名】明細書
【補正対象項目名】００３４
【補正方法】変更
【補正の内容】
【００３４】
上記実施形態の除水又は除塵用旋回ノズルによれば、一対のボールベアリングＢ１，Ｂ２でノズルチューブＴの軸部１５が支持されるので、軸部１５の歳差運動が確実に抑制される。
このように軸部１５が歳差運動をしなくなるので、その歳差運動が原因で発生していた従来の問題をことごとく解消できる。
【手続補正１５】
【補正対象書類名】明細書
【補正対象項目名】００３６
【補正方法】変更
【補正の内容】
【００３６】
また、軸部１５の歳差運動は、ベアリングＢ１，Ｂ２や軸部１５を偏摩耗させるので、その結果、軸部１５とベアリングＢ１，Ｂ２との間に隙間ができるとともに、そこに水道水のカルキやゴミが進入して、当該除水又は除塵用旋回ノズルそのものの寿命を短くしてしまう。
しかし、この実施形態によれば、除水又は除塵用旋回ノズルの寿命を確実に伸ばすことができる。